(57)【要約】【課題】  構造がシンプルで製造コストが低減すると共に、既製品の戸棚等に対しても一般のユーザーが後付けで設置できる、ユニット式の扉のロック装置を提供する。【解決手段】  所定大きさの収納ケース１２と、該収納ケース１２内に設けられると共に、互いに噛合する一対の歯車１３、１４と、該歯車１３、１４の回転に伴って突出又は後退する一対のロック棒１５、１６と、該ロック棒１５、１６の先端部１５ａ、１６ａを嵌合するために設けられる受け部材１７、１７と、一方の歯車１４に連結するシャフト１８と、該シャフト１８の先端部１８ａに取り付ける把手１９と、を１ユニットとして構成され、前記一対の歯車１３、１４は、前記ロック棒１５、１６の突出方向に回転するよう付勢手段２９が設けられている扉のロック装置１１である。【選択図】      図１
2006207178.tif 000002
【特許請求の範囲】
【請求項１】
所定大きさの収納ケースと、
該収納ケース内に設けられると共に、互いに噛合する一対の歯車と、
該歯車の回転に伴って突出又は後退する一対のロック棒と、
該ロック棒の先端部を嵌合するために設けられる受け部材と、
一方の歯車に連結するシャフトと、
該シャフトの先端部に取り付ける把手と、
を１ユニットとして構成され、
前記一対の歯車は、前記ロック棒の突出方向に回転するよう付勢手段が設けられていることを特徴とする扉のロック装置。
【請求項２】
前記付勢手段は、両方の歯車の側部に横架したバネ材であることを特徴とする請求項１に記載の扉のロック装置。
【請求項３】
前記ロック棒は、長さ調節手段が設けられていることを特徴とする請求項１に記載の扉のロック装置。
【請求項４】
前記把手は、種々の形状又はデザインのものを適宜に選択して取り付けることができるように構成されていることを特徴とする請求項１に記載の扉のロック装置。
【発明の詳細な説明】
【技術分野】
【０００１】
本発明は、食器戸棚等の扉が地震等の衝撃で不用意に開放しないようにロックする、扉のロック装置に関し、更に詳しくは、既製品の食器戸棚等に対しても後付けで設置することができる、ユニット式の扉のロック装置に関するものである。
【背景技術】
【０００２】
従来、この種の扉のロック装置としては、図８及び図９に示すような構成のものが知られている。このロック装置１は、扉枠２に設けられる開閉扉３と、この開閉扉３に取り付けられるベース４と、このベース４に保持されるロックアーム５、５と、このロックアーム５、５の先端部に設けたストライカー６、６が嵌り込むロック溝部材７、７と、ベース４に連結する操作摘み８と、この操作摘み８の操作に伴ってロックアーム５、５を突出及び後退させるリンク機構９とを備えている（特許文献１参照）。
【特許文献１】特開平８−３１２２２６号公報
【発明の開示】
【発明が解決しようとする課題】
【０００３】
この従来例のロック装置においては、リンク機構及び種々の部材等を有することから、構造が複雑で部品点数が多く、製造コストが高くなり、重量が嵩み、さらには故障する可能性も高いという欠点を有している。
【０００４】
また、上述のようにロック装置の構造が複雑であるのために、一般のユーザーが既製品の食器戸棚等に対して後付けで設置することは実質的に不可能であるという欠点も有している。
【０００５】
従って、従来例におけるロック装置においては、構造をシンプルにして製造コストを低減し、重量を軽減することと、既製品の食器戸棚等に対しても一般のユーザーが後付けで設置できるようにすることとに解決しなければならない課題を有している。
【課題を解決するための手段】
【０００６】
前記従来例の課題を解決する具体的手段として本発明は、所定大きさの収納ケースと、該収納ケース内に設けられると共に、互いに噛合する一対の歯車と、該歯車の回転に伴って突出又は後退する一対のロック棒と、該ロック棒の先端部を嵌合するために設けられる受け部材と、一方の歯車に連結するシャフトと、該シャフトの先端部に取り付ける把手と、を１ユニットとして構成され、前記一対の歯車は、前記ロック棒の突出方向に回転するよう付勢手段が設けられていることを特徴とする扉のロック装置を提供するものである。
【０００７】
また、前記付勢手段は、両方の歯車の側部に横架したバネ材である構成としたものであり、そして、前記ロック棒は、長さ調節手段が設けられている構成としたものであり、更に、前記把手は、種々の形状又はデザインのものを適宜に選択して取り付けることができるように構成されていることとしたものである。
【発明の効果】
【０００８】
本発明に係る扉のロック装置は、所定大きさの収納ケースと、該収納ケース内に設けられると共に、互いに噛合する一対の歯車と、該歯車の回転に伴って突出又は後退する一対のロック棒と、該ロック棒の先端部を嵌合するために設けられる受け部材と、一方の歯車に連結するシャフトと、該シャフトの先端部に取り付ける把手と、を１ユニットとして構成され、前記一対の歯車は、前記ロック棒の突出方向に回転するよう付勢手段が設けられていることによって、従来例のロック装置と比較して構造がシンプルであり、製造コストが低減すると共に、重量を軽減することができ、さらには振動等により故障する可能性が低下する。
また、ロック装置がユニット化されているので、既製品の食器戸棚等に対しても一般のユーザーが後付けで設置できるという種々の優れた効果を奏する。
【０００９】
また、付勢手段は、両方の歯車の側部に横架したバネ材であることによって、歯車がロック棒の突出方向に常に付勢されるので、自動的にロック棒が突出して先端部が受け部材と嵌合することとなる。つまり、扉のロック状態が自動的に維持されるという優れた効果を奏する。
【００１０】
そして、ロック棒は、長さ調節手段が設けられていることによって、種々の大きさの食器戸棚等に対応できるという優れた効果を奏する。
【００１１】
更に、把手は、種々の形状又はデザインのものを適宜に選択して取り付けることができるように構成されていることによって、使用者の好みに応じた把手を設けることができると共に、インテリアとしての食器戸棚等のデザイン性を損なうことがないという優れた効果を奏する。
【発明を実施するための最良の形態】
【００１２】
次に、本発明の実施の形態について図面を参照しながら説明する。まず、図１から図３において、符号１１は扉のロック装置を示し、このロック装置１１は、所定の大きさの収納ケース１２と、この収納ケース１２内に設けられる一対の歯車１３、１４と、この歯車１３、１４の回転に伴って突出又は後退する一対のロック棒１５、１６と、このロック棒１５、１６の先端部１５ａ、１６ａを嵌合するために設けられる受け部材１７、１７と、一方の歯車１４に連結するシャフト１８と、このシャフト１８の先端部に取り付ける把手１９とを１ユニットとして構成される。
【００１３】
収納ケース１２は、薄型の箱形状に形成されており、その一側面が戸棚等の扉２０の内側に対して、ビス止め又は接着等の所定の手段で固定されるようになっている。なお、収納ケース１２を扉２０の内側にビス止めする場合には、収納ケース１２の当該側面にビスを挿通させるための小孔を形成しておくことが望ましい（図示せず）。
また、収納ケース１２の上部には、ロック棒１５が挿通する所定大きさの挿通孔２１が形成されている。同様に、収納ケース１２の下部には、ロック棒１６が挿通する所定大きさの挿通孔２２が形成されている。
【００１４】
歯車１３及び歯車１４は、同型状の平歯車であり、互いに噛合した状態で配設されており、一方の歯車の回転が他方の歯車に伝達して回転するようになっている。そして、歯車１３の中心位置に軸部２３が設けられており、この軸部２３の両端部がそれぞれ収納ケース１２の内側で支持されて、歯車１３が回転自在に形成されている。また、歯車１４の中心位置に軸部２４が設けられており、この軸部２４の両端部がそれぞれ収納ケース１２の内側で支持されて、歯車１４が回転自在に形成されている。
【００１５】
また、歯車１３と歯車１４との側部には、バネ材（付勢手段）２９が横架した状態で設けられている。つまり、バネ材２９の一端部２９ａが歯車１３の側部に固定され、他端部２９ｂが歯車１４の側部に固定されている。このようにバネ材２９が配設されることによって、歯車１３及び歯車１４が、図１中の矢印Ａ方向及びＢ方向に常に付勢されるようなっている。
【００１６】
一方のロック棒１５は、所定の長さを有すると共に、基部側に歯車１３と噛合する凹凸部２５が形成されている。また、他方のロック棒１６は、所定の長さを有すると共に、基部側に歯車１４と噛合する凹凸部２６が形成されている。つまり、一方のロック棒１５は、凹凸部２５が歯車１３と噛合し、他方のロック棒１６は、凹凸部２６が歯車１４と噛合しており、歯車１３及び歯車１４の回転が伝達されて両方のロック棒１５及びロック棒１６が同時に突出方向（矢印Ｃ又はＤ方向）又は後退方向（矢印Ｃ又はＤと逆方向）に移動するようになっている。
【００１７】
また、ロック棒１５の途中には、段部２７ａが形成されており、この段部２７ａが、収納ケース１２の挿通孔２１の縁部に当接して、ストッパーの役目を果たすようになっている。同様に、ロック棒１６の途中には、段部２７ｂが形成されており、この段部２７ｂが、収納ケース１２の挿通孔２２の縁部に当接して、ストッパーの役目を果たすようになっている。
【００１８】
更に、ロック棒１５は、挿通孔２１を挿通して収納ケース１２の外部に突出している。同様に、ロック棒１６は、挿通孔２２を挿通して収納ケース１２の外部に突出している。この外部に突出した部位の、ロック棒１５及びロック棒１６は、角柱状又は多角柱状に形成されており、その途中には長さ調節手段２８が設けられている。
【００１９】
この長さ調節手段２８について説明する。図４に示すように、ロック棒１５（又はロック棒１６）の途中が切断されて、その一端側３０には所定長さのネジ３１がネジ込み自在に螺入されている。そして、このネジ３１の基部には、ロック棒１５（又はロック棒１６）の他端側３２が固着されている。更に、ロック棒１５（又はロック棒１６）の外周面に密接した状態で上下移動自在にストッパー部材３３が設けられている。このストッパー部材３３は、図６及び図７に示すように、両端が開口し断面が中空の角柱状又は多角柱状に形成されており、ロック棒１５（又はロック棒１６）の回転を規制する役目を果たすものである。
【００２０】
このように構成された長さ調節手段２８は、他端側３２のロック棒１５（又はロック棒１６）を適宜に回転させてネジ３１を一端側３０に螺入して、ロック棒１５（又はロック棒１６）の長さ合わせを行う。そして、最適長さの位置でストッパ部材３３を移動させて、一端側３０及び他端側３２の外周面に密接させ、他端側３２のロック棒１５（又はロック棒１６）の回転を規制する（図５参照）。このようにしてロック棒１５（又はロック棒１６）の長さ調節を行う。
なお、図４及び図５はロック棒１５における長さ調節手段２８を示したが、ロック棒１６における長さ調節手段２８は、図４及び図５に示すものと上下が対称の構成であり、他は同様であるので、詳細は省略する。
【００２１】
受け部材１７は、基部３４と凹部３５とで形成されており、戸棚等の枠部３６の所定位置にビス止め又は接着等の所定の手段で固定できるようになっている。そして、凹部３５に、ロック棒１５又はロック棒１６の先端部１５ａ又は先端部１６ａが嵌合できるように構成される。
【００２２】
シャフト１８は、歯車１４の軸部２４に連結しており、戸棚等の扉２０に設けた貫通孔３７を貫通させて先端部１８ａを外側に位置させるようになっている。そして、シャフト１８を回転させることによって、軸部２４を回転させて、歯車１４が回転できるようになっている。
【００２３】
把手１９は、シャフト１８の先端部１８ａに取り付けられる。また、把手１９は、種々の形状又はデザインのものを適宜に選択して取り付けることができるように構成されている。
【００２４】
以上のような扉のロック装置１１を食器戸棚等に取り付ける方法について説明する。
まず、収納ケース１２を扉２０の内側の所定位置にビス止め等の所定手段で固定すると共に、扉２０に予め設けた貫通孔３７にシャフト１８を貫通させる。そして、シャフト１８の先端部１８ａに把手１９を取り付ける。
次に、上部及び下部の枠部３６の所定位置に受け部材１７を接着等の所定手段で固定する。
更に、ロック棒１５及びロック棒１６の長さを長さ調節手段２８で調節して、先端部１５ａ及び先端部１６ａが、受け部材１７の凹部３５に嵌合できるように長さ合せをする。
場合によっては、支持部材３８を扉２０の内側に取り付けて、ロック棒１５及びロック棒１６を上下移動自在に支持する。
このように、ロック装置１１はユニット化されているので、既製品の食器戸棚等に対して簡単に後付けで設置できる。
【００２５】
次に、扉のロック装置１１の動作について説明する。扉２０が閉まっているときには、バネ材２９の付勢力によって、歯車１３及び歯車１４が、図１中の矢印Ａ方向及びＢ方向に常に付勢される。そして、歯車１３及び歯車１４の回転が伝達されて、ロック棒１５及びロック棒１６が同時に突出する（矢印Ｃ方向又はＤ方向）。
つまり、ロック棒１５及びロック棒１６が自動的に突出して先端部１５ａ及び先端部１６ａが受け部材１７の凹部３５に嵌合するので、扉２０のロック状態が自動的に維持されることとなる。
【００２６】
扉２０を開けるときには、把手１９を把持してシャフト１８を回転することにより、軸部２４を回転させて、歯車１４を図１中の矢印Ｂと逆方向に回転させる。この歯車１４の回転と同時に歯車１３が矢印Ａと逆方向に回転する。そして、歯車１３及び歯車１４の回転が伝達されて、ロック棒１５及びロック棒１６が同時に後退する（矢印Ｃ又はＤと逆方向）。このときロック棒１５の後端部１５ｂとロック棒１６の後端部１６ｂとが当接してストッパーの役目を果たす。先端部１５ａ及び先端部１６ａは、受け部材１７の凹部３５からそれぞれ抜けるので、扉２０の開放が可能になる。
【産業上の利用可能性】
【００２７】
本発明の扉のロック装置１１は、主に観音開きの扉を取付対象にするものであるが、必ずしもこれに限定されるものではなく、例えば、片開きの扉、引き戸式の扉、あるいは引き出し、ロッカーの扉等の種々な開閉扉に適用させて取り付けてもよい。また、図１等に示すロック装置１１は、主に右扉用のものを示すが、左扉用は、これと左右対称の構成にすればよい。
【図面の簡単な説明】
【００２８】
【図１】本発明に係る扉のロック装置１１の、一部を破断した正面図である。
【図２】本発明に係る扉のロック装置１１を扉２０に取り付けた状態の、一部を破断した側面図である。
【図３】本発明に係る扉のロック装置１１の斜視図である。
【図４】長さ調節手段２８を説明するロック棒１５の正面図である。
【図５】長さ調節手段２８を説明するロック棒１５の正面図である。
【図６】図４のＡ−Ａ線断面図である。
【図７】ストッパー部材３３の斜視図である。
【図８】従来例に係るロック装置を取り付けた戸棚の斜視図である。
【図９】従来例に係るロック装置の分解斜視図である。
【符号の説明】
【００２９】
１  ロック装置
２  扉枠
３  開閉扉
４  ベース
５  ロックアーム
６  ストライカー
７  ロック溝部材
８  操作摘み
９  リンク機構
１１  扉のロック装置
１２  収納ケース
１３  歯車
１４  歯車
１５  ロック棒
１５ａ先端部
１５ｂ後端部
１６  ロック棒
１６ａ先端部
１６ｂ後端部
１７  受け部材
１８  シャフト
１８ａ先端部
１９  把手
２０  扉
２１、２２  挿通孔
２３、２４  軸部
２５、２６  凹凸部
２７ａ、２７ｂ  段部
２８  長さ調節手段
２９  バネ材（付勢手段）
２９ａ一端部
２９ｂ他端部
３０  一端側
３１  ネジ
３２  他端側
３３  ストッパー部材
３４  基部
３５  凹部
３６  枠部
３７  貫通孔
３８  支持部材
【図１】
2006207178.tif 000003
【図２】
2006207178.tif 000004
【図３】
2006207178.tif 000005
【図４】
2006207178.tif 000006
【図５】
2006207178.tif 000007
【図６】
2006207178.tif 000008
【図７】
2006207178.tif 000009
【図８】
2006207178.tif 000010
【図９】
2006207178.tif 000011